(57)【要約】【課題】自動販売機の温度制御装置に関し、商品の加温劣化を防止するため、販売数の変化に応じた加温制御を行うことができるように図る。【解決手段】左右のサイドパネル２とサイドパネルの間に配置され商品を収納するガイド板１からなる商品ラック３と、商品を加熱するためにガイド板１に沿って取り付けられたパネルヒータ４と、パネルヒータ４の制御を行う加温制御部５と、加熱する商品数を設定する通電本数設定手段６と、通電本数設定手段６により設定された加熱する商品数を記憶する通電本数記憶手段７と、加温制御部５と通電本数設定手段６と通電本数記憶手段７に接続された演算制御部８ａとから構成されているので、設置環境により推測される販売本数を設定することで、必要以上に商品を加熱することを防止でき、長期間にわたり商品が加熱され続けることにより発生する、商品劣化を防止できる。【選択図】図１
2005115611.tif 000002
【特許請求の範囲】
【請求項１】
左右のサイドパネルと前記サイドパネルの間に配置され商品を収納するガイド板からなる商品ラックと、商品を加熱するために前記ガイド板に沿って取り付けられたパネルヒータと、前記パネルヒータの制御を行う加温制御部と、加熱する商品数を設定する通電本数設定手段と、前記通電本数設定手段により設定された加熱する商品数を記憶する通電本数記憶手段と、前記加温制御部と前記通電本数設定手段と前記通電本数記憶手段に接続された演算制御部とからなり、前記演算制御部は前記通電本数設定手段により設定され、前記通電本数記憶手段により記憶されている加熱する商品数により、前記加温制御部に前記パネルヒータの通電箇所を指示する自動販売機の温度制御装置。
【請求項２】
月別の販売データを記憶する月別販売データ記憶手段を設け、前記演算制御部は前記月別販売記憶手段に記憶された販売データに基づき、前記加温制御部に前記パネルヒータの通電箇所を指示する請求項１に記載の自動販売機の温度制御装置。
【請求項３】
曜日別の販売データを記憶する曜日別販売データ記憶手段を設け、前記演算制御部は前記曜日別販売記憶手段に記憶された販売データに基づき、前記加温制御部に前記パネルヒータの通電箇所を指示する請求項１に記載の自動販売機の温度制御装置。
【請求項４】
時間帯別の販売データを記憶する時間帯別販売データ記憶手段を設け、前記演算制御部は前記時間帯別販売記憶手段に記憶された販売データに基づき、前記加温制御部に前記パネルヒータの通電箇所を指示する請求項１に記載の自動販売機の温度制御装置。
【請求項５】
販売停止までの時間を記憶する販売停止時間データ記憶手段を設け、前記演算制御部は前記販売停止時間データ記憶手段により記憶された時間に基づき、前記加温制御部に前記パネルヒータの通電停止を指示する請求項１に記載の自動販売機の温度制御装置。
【発明の詳細な説明】
【技術分野】
【０００１】
本発明は自動販売機の温度制御装置に関するものである。
【背景技術】
【０００２】
従来の自動販売機においては、商品ラックの下方からヒーターにて加熱した温風を商品ラックに吹き込むことによって、商品ラック内の商品を加温する方法が一般的である。
【０００３】
また、自動販売機の他の加温技術としては、商品ラックの下部に設けた面状発熱体により、商品ラック内の商品を加温するもの（例えば、特許文献１参照）がある。
【特許文献１】特開２００１−４３４３５号公報
【発明の開示】
【発明が解決しようとする課題】
【０００４】
しかしながら、上記従来の構成は、面状発熱体が、商品ラックの下部にのみ設けられているため、販売数の変化に応じた加温制御が難しいという欠点があった。
【０００５】
本発明は従来の課題を解決するもので、販売数の変化に応じた加温制御を行うことができる自動販売機の温度制御装置を提供することを目的とする。
【課題を解決するための手段】
【０００６】
上記課題を解決するため、本発明は、左右のサイドパネルと前記サイドパネルの間に配置され商品を収納するガイド板からなる商品ラックと、商品を加熱するために前記ガイド板に沿って取り付けられたパネルヒータと、前記パネルヒータの制御を行う加温制御部と、加熱する商品数を設定する通電本数設定手段と、前記通電本数設定手段により設定された加熱する商品数を記憶する通電本数記憶手段と、前記加温制御部と前記通電本数設定手段と前記通電本数記憶手段に接続された演算制御部とからなり、前記演算制御部は前記通電本数設定手段により設定され、前記通電本数記憶手段により記憶されている加熱する商品数により、前記加温制御部に前記パネルヒータの通電箇所を指示したものである。
【０００７】
これにより、設置環境により推測される販売本数を設定することで、必要以上に商品を加熱することを防止でき、長期間にわたり商品が加熱され続けることにより発生する商品劣化を防止できる。
【発明の効果】
【０００８】
本発明によれば、左右のサイドパネルとサイドパネルの間に配置され商品を収納するガイド板からなる商品ラックと、商品を加熱するためにガイド板に沿って取り付けられたパネルヒータと、パネルヒータの制御を行う加温制御部と、加熱する商品数を設定する通電本数設定手段と、通電本数設定手段により設定された加熱する商品数を記憶する通電本数記憶手段と、加温制御部と通電本数設定手段と通電本数記憶手段に接続された演算制御部とからなり、演算制御部は通電本数設定手段により設定され、通電本数記憶手段により記憶されている加熱する商品数により、加温制御部にパネルヒータの通電箇所を指示したものであり、設置環境により推測される販売本数を設定することで、必要以上に商品を加熱することを防止でき、長期間にわたり商品が加熱され続けることにより発生する商品劣化を防止できる。
【発明を実施するための最良の形態】
【０００９】
請求項１に記載の断熱箱体の発明は、左右のサイドパネルと前記サイドパネルの間に配置され商品を収納するガイド板からなる商品ラックと、商品を加熱するために前記ガイド板に沿って取り付けられたパネルヒータと、前記パネルヒータの制御を行う加温制御部と、加熱する商品数を設定する通電本数設定手段と、前記通電本数設定手段により設定された加熱する商品数を記憶する通電本数記憶手段と、前記加温制御部と前記通電本数設定手段と前記通電本数記憶手段に接続された演算制御部とからなり、前記演算制御部は前記通電本数設定手段により設定され、前記通電本数記憶手段により記憶されている加熱する商品数により、前記加温制御部に前記パネルヒータの通電箇所を指示したものであり、設置環境により推測される販売本数を設定することで、必要以上に商品を加熱することを防止でき、長期間にわたり商品が加熱され続けることにより発生する商品劣化を防止できるという作用を有する。
【００１０】
請求項２に記載の発明は、請求項1に記載の発明に、さらに、月別の販売データを記憶する月別販売データ記憶手段を設け、前記演算制御部は前記月別販売記憶手段に記憶された販売データに基づき、前記加温制御部に前記パネルヒータの通電箇所を指示したものであり、月別の販売データにより加熱する商品数を決めることで、季節による販売数の変動に応じた加温制御ができ、長期間にわたり商品が加熱され続けることにより発生する商品劣化を防止できるという作用を有する。
【００１１】
請求項３に記載の発明は、請求項1に記載の発明に、さらに、曜日別の販売データを記憶する曜日別販売データ記憶手段を設け、前記演算制御部は前記曜日別販売記憶手段に記憶された販売データに基づき、前記加温制御部に前記パネルヒータの通電箇所を指示したものであり、曜日別の販売データにより加熱する商品数を決めることで、休日等による販売数の変動に応じた加温制御ができ、長期間にわたり商品が加熱され続けることにより発生する商品劣化を防止できるという作用を有する。
【００１２】
請求項４に記載の発明は、請求項1に記載の発明に、さらに、時間帯別の販売データを記憶する時間帯別販売データ記憶手段を設け、前記演算制御部は前記時間帯別販売記憶手段に記憶された販売データに基づき、前記加温制御部に前記パネルヒータの通電箇所を指示したものであり、時間帯別の販売データにより加熱する商品数を決めることで、深夜等の時間帯による販売数の変動に応じた加温制御ができ、長期間にわたり商品が加熱され続けることにより発生する商品劣化を防止できるという作用を有する。
【００１３】
請求項５に記載の発明は、請求項1に記載の発明に、さらに、販売停止までの時間を記憶する販売停止時間データ記憶手段を設け、前記演算制御部は前記販売停止時間データ記憶手段により記憶された時間に基づき、前記加温制御部に前記パネルヒータの通電停止を指示したものであり、ある一定時間販売がない場合に、商品の加熱を停止することで、長期間にわたり商品が加熱され続けることを防止でき、商品を破棄することなく販売を継続できるという作用を有する。
【００１４】
以下、本発明の実施の形態について、図面を参照しながら説明する。なお、従来と同一構成については、同一符号を付して詳細な説明を省略する。
【００１５】
（実施の形態１）
図１は、本発明の実施の形態１による自動販売機の温度制御装置の機能ブロック図である。図２は、同実施の形態の動作を示すフローチャートである。
【００１６】
図1に示すように、ガイド板１は、湾曲した板である。サイドパネル２は、ガイド板１を取り付けるための取り付け穴が設けられた、長方形の板である。商品ラック３は、左右に設けられたサイドパネル２とサイドパネル２の間に配置されたガイド板とから構成され、商品を収納するためのラックである。パネルヒータ４は、ガイド板１に沿って取り付けられた、商品を過熱するための面状ヒータである。加温制御部５は、パネルヒータ４への通電および通電停止を制御するリレーである。通電本数設定手段６は、加熱する商品の本数を設定するための設定手段である。通電本数記憶手段７は、通電本数設定手段６により設定された、加熱する商品の本数が記憶されている。演算制御部８ａは、加温制御部５と通電本数設定手段６と通電本数記憶手段７に接続されている。
【００１７】
以上のように構成された自動販売機の温度制御装置について、以下その演算制御部８ａの動作を図２のフローチャートをもとにして説明する。
【００１８】
通電本数設定手段６により、通電本数を設定する（ＳＴＥＰ１）。通電本数設定手段６により設定された通電本数を通電本数記憶手段７に記憶する（ＳＴＥＰ２）。演算制御部８ａは、通電本数記憶手段７に記憶された通電本数により、パネルヒータ４の通電箇所を算出し、加温制御部５にパネルヒータ４の通電を指示する（ＳＴＥＰ３）。
【００１９】
以上のように本実施の形態の自動販売機の温度制御装置は、左右のサイドパネル２とサイドパネルの間に配置され商品を収納するガイド板１からなる商品ラック３と、商品を加熱するためにガイド板１に沿って取り付けられたパネルヒータ４と、パネルヒータ４の制御を行う加温制御部５と、加熱する商品数を設定する通電本数設定手段６と、通電本数設定手段６により設定された加熱する商品数を記憶する通電本数記憶手段７と、加温制御部５と通電本数設定手段６と通電本数記憶手段７に接続された演算制御部８ａとから構成されているので、設置環境により推測される販売本数を設定することで、必要以上に商品を加熱することを防止でき、長期間にわたり商品が加熱され続けることにより発生する商品劣化を防止できる。
【００２０】
（実施の形態２）
図３は、本発明の実施の形態２による自動販売機の温度制御装置の機能ブロック図である。図４は、同実施の形態の動作を示すフローチャートである。
【００２１】
図３において、月別販売データ記憶手段９は演算制御部８ｂに接続し、月別の販売データを記憶するためのものである。
【００２２】
本実施の形態は、実施の形態１による自動販売機の温度制御装置に、さらに、月別販売データ記憶手段９を設けたものである。
【００２３】
以上のように構成された自動販売機の温度制御装置について、以下その演算制御部８ｂの動作を図４のフローチャートをもとにして説明する。
【００２４】
月別販売データ記憶手段９により、記憶された月別販売データに基づき、通電本数を設定する（ＳＴＥＰ１１）。月別販売データにより設定された通電本数を通電本数記憶手段７に記憶する（ＳＴＥＰ２）。演算制御部８ｂは、通電本数記憶手段７に記憶された通電本数により、パネルヒータ４の通電箇所を算出し、加温制御部５にパネルヒータの通電を指示する（ＳＴＥＰ３）。
以上のように本実施の形態の自動販売機の温度制御装置は、左右のサイドパネル２とサイドパネルの間に配置され商品を収納するガイド板１からなる商品ラック３と、商品を加熱するためにガイド板１に沿って取り付けられたパネルヒータ４と、パネルヒータ４の制御を行う加温制御部５と、加熱する商品数を設定する通電本数設定手段６と、通電本数設定手段６により設定された加熱する商品数を記憶する通電本数記憶手段７と、月別の販売データを記憶する月別販売データ記憶手段９と、加温制御部５と通電本数設定手段６と通電本数記憶手段７と月別販売データ記憶手段９に接続された演算制御部８ｂとから構成されているので、月別の販売データにより加熱する商品数を決めることで、季節による販売数の変動に応じた加温制御ができ、長期間にわたり商品が加熱され続けることにより発生する商品劣化を防止できる。
【００２５】
（実施の形態３）
図５は、本発明の実施の形態３による自動販売機の温度制御装置の機能ブロック図である。図６は、同実施の形態の動作を示すフローチャートである。
【００２６】
図５において、曜日別販売データ記憶手段１０は演算制御部８ｃに接続し、曜日別の販売データを記憶するためのものである。
【００２７】
本実施の形態は、実施の形態１による自動販売機の温度制御装置に、さらに、曜日別販売データ記憶手段１０を設けたものである。
【００２８】
以上のように構成された自動販売機の温度制御装置について、以下その演算制御部８ｃの動作を図６のフローチャートをもとにして説明する。
【００２９】
曜日別販売データ記憶手段１０により、記憶された曜日別販売データに基づき、通電本数を設定する（ＳＴＥＰ２１）。曜日別販売データにより設定された通電本数を通電本数記憶手段７に記憶する（ＳＴＥＰ２）。演算制御部８ｃは、通電本数記憶手段７に記憶された通電本数により、パネルヒータ４の通電箇所を算出し、加温制御部５にパネルヒータの通電を指示する（ＳＴＥＰ３）。
以上のように本実施の形態の自動販売機の温度制御装置は、左右のサイドパネル２とサイドパネルの間に配置され商品を収納するガイド板１からなる商品ラック３と、商品を加熱するためにガイド板１に沿って取り付けられたパネルヒータ４と、パネルヒータ４の制御を行う加温制御部５と、加熱する商品数を設定する通電本数設定手段６と、通電本数設定手段６により設定された加熱する商品数を記憶する通電本数記憶手段７と、曜日別の販売データを記憶する曜日別販売データ記憶手段１０と、加温制御部５と通電本数設定手段６と通電本数記憶手段７と曜日別販売データ記憶手段１０に接続された演算制御部８ｃとから構成されているので、曜日別の販売データにより加熱する商品数を決めることで、休日等による販売数の変動に応じた加温制御ができ、長期間にわたり商品が加熱され続けることにより発生する商品劣化を防止できる。
【００３０】
（実施の形態４）
図７は、本発明の実施の形態４による自動販売機の温度制御装置の機能ブロック図である。図８は、同実施の形態の動作を示すフローチャートである。
【００３１】
図７において、時間帯別販売データ記憶手段１１は演算制御部８ｄに接続し、時間帯別の販売データを記憶するためのものである。
【００３２】
本実施の形態は、実施の形態１による自動販売機の温度制御装置に、さらに、時間帯別販売データ記憶手段１１を設けたものである。
【００３３】
以上のように構成された自動販売機の温度制御装置について、以下その演算制御部８ｄの動作を図８のフローチャートをもとにして説明する。
【００３４】
時間帯別販売データ記憶手段１１により、記憶された時間帯別販売データに基づき、通電本数を設定する（ＳＴＥＰ３１）。時間帯別販売データにより設定された通電本数を通電本数記憶手段７に記憶する（ＳＴＥＰ２）。演算制御部８ｄは、通電本数記憶手段７に記憶された通電本数により、パネルヒータ４の通電箇所を算出し、加温制御部５にパネルヒータの通電を指示する（ＳＴＥＰ３）。
【００３５】
以上のように本実施の形態の自動販売機の温度制御装置は、左右のサイドパネル２とサイドパネルの間に配置され商品を収納するガイド板１からなる商品ラック３と、商品を加熱するためにガイド板１に沿って取り付けられたパネルヒータ４と、パネルヒータ４の制御を行う加温制御部５と、加熱する商品数を設定する通電本数設定手段６と、通電本数設定手段６により設定された加熱する商品数を記憶する通電本数記憶手段７と、時間帯別の販売データを記憶する時間帯別販売データ記憶手段１１と、加温制御部５と通電本数設定手段６と通電本数記憶手段７と時間帯別販売データ記憶手段１１に接続された演算制御部８ｄとから構成されているので、時間帯別の販売データにより加熱する商品数を決めることで、深夜等の時間帯による販売数の変動に応じた加温制御ができ、長期間にわたり商品が加熱され続けることにより発生する商品劣化を防止できる。
【００３６】
（実施の形態５）
図９は、本発明の実施の形態５による自動販売機の温度制御装置の機能ブロック図である。図１０は、同実施の形態の動作を示すフローチャートである。
【００３７】
図９において、販売停止時間データ記憶手段１２は演算制御部８ｅに接続し、販売停止までの時間を記憶するためのものである。
【００３８】
本実施の形態は、実施の形態１による自動販売機の温度制御装置に、さらに、販売停止時間データ記憶手段１２を設けたものである。
【００３９】
以上のように構成された自動販売機の温度制御装置について、以下その演算制御部８ｅの動作を図１０のフローチャートをもとにして説明する。
通電本数設定手段６により、通電本数を設定する（ＳＴＥＰ１）。通電本数設定手段６により設定された通電本数を通電本数記憶手段７に記憶する（ＳＴＥＰ２）。演算制御部８ｅは、通電本数記憶手段７に記憶された通電本数により、パネルヒータ４の通電箇所を算出し、加温制御部５にパネルヒータの通電を指示する（ＳＴＥＰ３）。販売停止時間データ記憶手段１２により、記憶された販売停止時間が経過したかを判定する（ＳＴＥＰ４１）。販売停止時間を経過した後、商品の販売の有無を判定する（ＳＴＥＰ４２）。商品の販売がないときには、加温制御部５にパネルヒータ４の通電停止を指示する（ＳＴＥＰ４３）。
【００４０】
以上のように本実施の形態の自動販売機の温度制御装置は、左右のサイドパネル２とサイドパネルの間に配置され商品を収納するガイド板１からなる商品ラック３と、商品を加熱するためにガイド板１に沿って取り付けられたパネルヒータ４と、パネルヒータ４の制御を行う加温制御部５と、加熱する商品数を設定する通電本数設定手段６と、通電本数設定手段６により設定された加熱する商品数を記憶する通電本数記憶手段７と、販売停止までの時間データを記憶する販売停止時間データ記憶手段１２と、加温制御部５と通電本数設定手段６と通電本数記憶手段７と販売停止時間データ記憶手段１２に接続された演算制御部８ｅとから構成されているので、ある一定時間販売がない場合に、商品の加熱を停止することで、長期間にわたり商品が加熱され続けることを防止でき、商品を破棄することなく販売を継続できる。
【産業上の利用可能性】
【００４１】
以上のように、本発明にかかる自動販売機は、必要以上に商品を加熱することを防止でき、長期間にわたり商品が加熱され続けることにより発生する商品劣化を防止でき、加温商品を提供する自動販売機等の商品分野に有用な技術である。
【図面の簡単な説明】
【００４２】
【図１】本発明による自動販売機の温度制御装置の実施の形態１のブロック図
【図２】同実施の形態の自動販売機の温度制御装置の動作を示すフローチャート
【図３】本発明による自動販売機の温度制御装置の実施の形態２のブロック図
【図４】同実施の形態の自動販売機の温度制御装置の動作を示すフローチャート
【図５】本発明による自動販売機の温度制御装置の実施の形態３のブロック図
【図６】同実施の形態の自動販売機の温度制御装置の動作を示すフローチャート
【図７】本発明による自動販売機の温度制御装置の実施の形態４のブロック図
【図８】同実施の形態の自動販売機の温度制御装置の動作を示すフローチャート
【図９】本発明による自動販売機の温度制御装置の実施の形態５のブロック図
【図１０】同実施の形態の自動販売機の温度制御装置の動作を示すフローチャート
【符号の説明】
【００４３】
１    ガイド板
２    サイドパネル
３    商品ラック
４    パネルヒータ
５    加温制御部
６    通電本数設定手段
７    通電本数記憶手段
８ａ，８ｂ，８ｃ，８ｄ，８ｅ    演算制御部
９    月別販売データ記憶手段
１０    曜日別販売データ記憶手段
１１    時間帯別販売データ記憶手段
１２    販売停止時間データ記憶手段
【図１】
2005115611.tif 000003
【図２】
2005115611.tif 000004
【図３】
2005115611.tif 000005
【図４】
2005115611.tif 000006
【図５】
2005115611.tif 000007
【図６】
2005115611.tif 000008
【図７】
2005115611.tif 000009
【図８】
2005115611.tif 000010
【図９】
2005115611.tif 000011
【図１０】
2005115611.tif 000012